(57)【要約】【課題】発熱体を内蔵したパネル体の複数のものを、それぞれのパネル体の内部に配線ケーブルを通過させて接続し、下地床上に配列して構成される床暖房用ヒータパネルにおいて、パネル体を折り畳み可能な構造にして運搬・施工に適したサイズにする。【解決手段】それぞれに発熱体を内蔵した第１、第２のパネル体１ａ、１ｂを、柔軟なシート体５の上面に並べて貼着し、シート体５の下面同士が向き合う方向に折畳み可能にしている。【選択図】図１
2010007918.tif 000002
【特許請求の範囲】
【請求項１】
発熱体を内蔵したパネル体の複数のものを、それぞれのパネル体の内部に後付け配線ケーブルを通過させて接続し、下地床上に配列して構成される床暖房構造に使用される床暖房用ヒータパネルであって
それぞれに発熱体を内蔵した第１、第２のパネル体を、柔軟なシート体の上面に並べて貼着し、シート体の下面同士が向き合う方向に折畳み可能にしていることを特徴とする床暖房用ヒータパネル。
【請求項２】
請求項１において、
上記第１のパネル体と、第２のパネル体のそれぞれの端部は、一方には上部突出部を、他方には下部突出部を対応して形成して、向かい合う端部が相じゃくり嵌合部を構成していることを特徴とする床暖房用ヒータパネル。
【請求項３】
請求項２において、
上記相じゃくり嵌合部は、固着具を、上記上部突出部より下部突出部を通じて、上記下地床まで貫通させて打ち込み、下地床に固定する構造にしていることを特徴とする床暖房用ヒータパネル。
【請求項４】
請求項２ないし請求項３のいずれか１項において、
上記第１のパネル体と、第２のパネル体には、内部配線ケーブルを挿通させる配線トンネルが上記相じゃくり嵌合部を貫通するように形成されており、上記相じゃくり嵌合部の下部突出部は、内部配線ケーブルが折り曲げ可能なように切欠されていることを特徴とする床暖房用ヒータパネル。
【発明の詳細な説明】
【技術分野】
【０００１】
本発明は、例えば建築物の下地床に配置される床暖房用ヒータパネルの改良に関する。
【背景技術】
【０００２】
一般に、建築物の下地床に配置される床暖房用ヒータパネルは、発熱体を内蔵する複数のパネル体を建築物の下地床に並べて配置するように構成している。
【０００３】
このような、床暖房用ヒータパネルとして、例えば、特許文献１には、基板に温水循環パイプを収納するとともに、基板の上面に均熱板を積層固着するように構成された床暖房パネルが提案されている。
【特許文献１】特開平７−２９３９０６号公報
【発明の開示】
【発明が解決しようとする課題】
【０００４】
しかしながら、上述の特許文献１に開示された床暖房パネルでは、パネル体のサイズが大きくなると、運搬性、施工性が悪化するという問題があった。
【０００５】
本発明は上記事情に鑑みてなされたものであり、パネル体を運搬・施工に適したサイズにすることができる床暖房用ヒータパネルを提供することを目的としている。
【課題を解決するための手段】
【０００６】
上記目的を解決するために、請求項１に記載の床暖房用ヒータパネルは、発熱体を内蔵したパネル体の複数のものを、それぞれのパネル体の内部に後付け配線ケーブルを通過させて接続し、下地床上に配列して構成される床暖房構造に使用される床暖房用ヒータパネルであってそれぞれに発熱体を内蔵した第１、第２のパネル体を、柔軟なシート体の上面に並べて貼着し、シート体の下面同士が向き合う方向に折畳み可能にしている。
【０００７】
請求項２に記載の床暖房用ヒータパネルは、上記第１のパネル体と、第２のパネル体のそれぞれの端部は、一方には上部突出部を、他方には下部突出部を対応して形成して、向かい合う端部が相じゃくり嵌合部を構成している。
【０００８】
請求項３に記載の床暖房用ヒータパネルは、上記相じゃくり嵌合部は、固着具を、上記上部突出部より下部突出部を通じて、上記下地床まで貫通させて打ち込み下地床に固定する構造にしている。
【０００９】
請求項４に記載の床暖房用ヒータパネルは、上記第１のパネル体と、第２のパネル体には、内部配線ケーブルを挿通させる配線トンネルが上記相じゃくり嵌合部を貫通するように形成されており、上記相じゃくり嵌合部の下部突出部は、内部配線ケーブルが折り曲げ可能なように切欠されている。
【発明の効果】
【００１０】
請求項1に記載の床暖房用ヒータパネルによれば、第１のパネル体と、第２のパネル体とが、シート体の折り目を境にして折りたたみ可能に構成されているので、運搬・施工に適したサイズにすることができる。
【００１１】
さらに、第１のパネル体と、第２のパネル体との間の結線を工場で取り付けることが可能となり、現場作業が軽減される。
【００１２】
請求項２に記載の床暖房用ヒータパネルによれば、第１のパネルと、第２のパネルとの互いに対向する側部において、一方の上側に設けられた上部突出部と、他方の下側に設けられた下部突出部とを相じゃくり状態で接合させるので、第１のパネルと、第２のパネルとを堅固に接合することができるとともに、相じゃくり嵌合部の存在により床面上において発熱体をより接近させた状態に配置することができる。
【００１３】
請求項３に記載の床暖房用ヒータパネルによれば、特に相じゃくり嵌合部を固着具により下地床に固定することにより、一度に両パネルの一方の側部を固定することができるので、同じサイズのパネルを並べて設置する場合と比較して、固定箇所を少なくすることができる。
【００１４】
請求項４に記載の床暖房用ヒータパネルによれば、内部配線ケーブルが折り曲げ可能なように下部突出部が切欠されているので、両パネルの間の接続配線と下部突出部との間の干渉を防ぐことができる。そのため、両パネルを容易にシート体の側に折り曲げることができる。
【発明を実施するための最良の形態】
【００１５】
以下、添付図面を参照しながら本発明の好ましい実施の一形態について説明する。図１は、本実施形態の床暖房用ヒータパネルの構成を示す分解斜視図であり、図２は、本実施形態の床暖房用ヒータパネルの構成を示す平面図である。また、図３は、図２のIII−III断面図であり、図４は、図２のIV−IV断面図である。また、図５は、図２のV−V断面図である。さらに、図６は、本実施形態の床暖房用ヒータパネルの折り畳み時の状態を示す断面図である。
【００１６】
床暖房用ヒータパネル１は、図２〜図４に示すように、複数のものを下地床４上に配列するとともに、それぞれの床暖房用ヒータパネル１に後付け配線ケーブル３を通過させて電気配線を接続する構造になっている。
【００１７】
ここで、図１〜図４に示すように、それぞれの床暖房用ヒータパネル１は、第１のパネル体１ａと第２のパネル体１ｂとを備えている。これら第１のパネル体１ａと第２のパネル体１ｂとは、それぞれ幅４００ｍｍ以下の長方形に形成されたものであり、柔軟なシート体５の上面に並べて貼着されるが、施工前、運搬時などには、図６に示すようにシート体５の下面同士が向き合う方向に折畳み可能になっている（図６）。
【００１８】
第１のパネル体１ａと第２のパネル体１ｂとは、それぞれ発熱体２ａ、枠部材２ｂ、基材２ｃ、表面材２ｄ、裏面材２ｅを備えている
発熱体２ａは、熱を発生させる部分であり、本実施形態では、面状ヒータで構成されている。この発熱体２ａには、コネクタ部２ｇの導電ケーブル２ｆを接続するための導電部２ｈが設けられており、コネクタ部２ｇには、出荷前に第１のパネル体１ａと第２のパネル体１ｂとの間に配線される内部配線ケーブル２ｊや、後付け配線ケーブル３が接続される。内部配線ケーブル２ｊは、出荷前に第１のパネル体１ａと第２のパネル体１ｂとの間に配線され、後付け配線ケーブル３は、現地でそれぞれの床暖房用ヒータパネル１の間で接続される。
【００１９】
枠部材２ｂは、合板など木質系材料で構成される。
【００２０】
基材２ｃは、下方への伝熱を遮断するために発熱体２ａの裏面に設けられるものであり、本実施形態では、断熱性能を有する材料として、ロックウールを含む材料で構成されている。
【００２１】
表面材２ｄは、床暖房用ヒータパネル１の上面の仕上げのための部材であり、合板など木質系材料で構成されている。
【００２２】
裏面材２ｅは、床暖房用ヒータパネル１の裏面を覆って強度を確保するためのものであり、本実施形態では表面材２ｄと同様、合板など木質系材料で構成されている。
【００２３】
そして、この裏面材２ｅの裏面に貼着されるシート体５は、本実施形態では紙で構成されている。
【００２４】
ここで、第１のパネル体１ａと第２のパネル体１ｂのそれぞれの端部は、一方には上部突出部２ｋを、他方には下部突出部２ｍを対応して形成して、向かい合う端部が相じゃくり嵌合部２ｎを構成している。
【００２５】
また、この相じゃくり嵌合部２ｎは、固着具６を、上部突出部２ｋより下部突出部２ｍを通じて、下地床４まで貫通させて打ち込み、下地床４に固定する構造にしている。
【００２６】
なお、第１のパネル体１ａと第２のパネル体１ｂには、内部配線ケーブル２ｊを挿通させる配線トンネル２ｑが相じゃくり嵌合部２ｎを貫通するように形成されている。また、相じゃくり嵌合部２ｎの下部突出部２ｍには、切欠部２ｐが設けられている。
【００２７】
この床暖房用ヒータパネル１は、工場で図示のように、第１、第２のパネル体１ａ、１ｂ、それぞれの枠部材２ｂに、基材２ｃと、発熱体２ａと、表面材２ｄと、導電ケーブル２ｆの付いたコネクタ部２ｇと、内部配線ケーブル２ｊとが、組み込まれた後、裏面材２ｅが貼着されこの裏面材２ｅの裏面にシート体５が、貼着されて一体に形成される。
【００２８】
そして、柔軟なシート体５の上面に並べて貼着された第１、第２のパネル体１ａ、１ｂを図６に示すように、シート体５の下面同士が向き合う方向に折畳んで出荷、搬送する。
【００２９】
この時、第１のパネル体１ａと第２のパネル体１ｂには、内部配線ケーブル２ｊを挿通させる配線トンネル２ｑが相じゃくり嵌合部２ｎを貫通するように形成されるとともに、相じゃくり嵌合部２ｎの下部突出部２ｍには切欠された切欠部２ｐが設けられているので、運搬時など、第１のパネル体１ａと第２のパネル体１ｂとを折り畳んだ時には、図６に示すように内部配線ケーブル２ｊを端部より突出させて折り曲げることができる。
【００３０】
次に図４を参照して、本発明の実施の形態に係る床暖房用ヒータパネル１の施工要領について説明する。
【００３１】
本発明の実施の形態に係る床暖房用ヒータパネル１においては、まず、図６のようにシート体５の下面同士が向き合う方向に折畳んで搬送された第１、第２のパネル体１ａ、１ｂが、図４に示すように、シート体５とともに、広げられ、下地床４上に配列される。
【００３２】
この時、第１のパネル体１ａと第２のパネル体１ｂのそれぞれの端部に設けられた上部突出部２ｋと下部突出部２ｍとを相じゃくり嵌合させる。
【００３３】
また、後付け配線ケーブル３をそれぞれの床暖房用ヒータパネル１のコネクタ部２ｇに接続して床暖房用ヒータパネル１間の配線を行う。
【００３４】
そして、相じゃくり嵌合部２ｎの固定用下穴２ｒ（図１）にねじ、釘などの固着具６を挿入して、下地床４まで貫通させて打ち込み、床暖房用ヒータパネル１を下地床４に固定する。
【００３５】
また、図２に示すように、枠部材２ｂの固定用下穴２ｓにねじ、釘などの固着具６を挿入して、床暖房用ヒータパネル１を下地床４に固定する。
【００３６】
このようにして、他の床暖房用ヒータパネル１も同様にして、相じゃくり嵌合部によって連続して順次連結させて敷設していく。
【００３７】
以上説明したように、本発明の実施の形態に係る床暖房用ヒータパネル１によれば、第１のパネル体１ａと第２のパネル体１ｂとが、シート体５の折り目を境にして折りたたみ可能に構成されているので、運搬・施工に適したサイズにすることができる。
【００３８】
さらに、第１のパネル体１ａと第２のパネル体１ｂとの間の結線を工場で取り付けることが可能となり、現場作業も軽減される。
【００３９】
また、第１のパネル体１ａと第２のパネル体１ｂとの互いに対向する側部において、一方の上側に設けられた上部突出部２ｋと、他方の下側に設けられた下部突出部２ｍとを相じゃくり状態で接合させるので、第１のパネル体１ａと第２のパネル体１ｂとを堅固に接合することができるとともに、相じゃくり嵌合部の存在により床面上において発熱体をより接近させた状態に配置することができる。
【００４０】
また、従来例では、床暖房用ヒータパネルは各パネル単位で四周をねじ止め、あるいは釘と接着剤の併用による固定する必要があり、連続して隣り合わせに設置する場合には、固定箇所が多くなるという問題があったが、床暖房用ヒータパネル１によれば、特に相じゃくり嵌合部２ｎを固着具６により下地床４に固定することにより、一度に両パネルの一方の側部を固定することができるので、同じサイズのパネルを並べて設置する場合と比較して、固定箇所を少なくすることができる。
【００４１】
さらに、配線ケーブルが折り曲げ可能なように下部突出部２ｍが切欠されているので、両パネルの間の接続配線と下部突出部２ｍとの間の干渉を防ぐことができる。そのため、折り畳み時に配線ケーブルを傷つけることなく折り曲げて、両パネルを容易にシート体５の側に折り畳むことができる。
【００４２】
上述した実施の形態は本発明の好ましい具体例を例示したものに過ぎず、本発明は上述した実施の形態に限定されない。
【００４３】
例えば、発熱体２ａは、熱を発生させる部分であれば、面状ヒータである必要はない。コード状ヒータ、温水パイプ等などが採用可能である。
【００４４】
また、基材２ｃは、下方への伝熱を遮断するために発熱体２ａの裏面に設けられるものであれば、ロックウール以外にも断熱性能を有する材料として、発泡ウレタン、発泡ポリスチレン、発泡ポリエチレン、グラスウール、真空断熱材などを含む材料が採用可能である。
【００４５】
また、枠部材２ｂ、表面材２ｄ、裏面材２ｅも合板など木質系材料に限定されず、種々の設計変更が可能である。
【００４６】
さらに、シート体５も紙に限定されない。柔軟で折畳み可能であれば、合成樹脂などが採用可能である。
【００４７】
その他、本発明の特許請求の範囲内で種々の設計変更が可能であることはいうまでもない。
【図面の簡単な説明】
【００４８】
【図１】床暖房用ヒータパネルの構成を示す分解斜視図である。
【図２】床暖房用ヒータパネルの構成を示す平面図である。
【図３】図２のIII−III断面図である。
【図４】図２のIV−IV断面図である。
【図５】図２のV−V断面図である。
【図６】床暖房用ヒータパネルの折り畳み時の状態を示す断面図である。
【符号の説明】
【００４９】
１    床暖房用ヒータパネル
１ａ  第１のパネル体
１ｂ  第２のパネル体
２ａ  発熱体
２ｊ  内部配線ケーブル
２ｋ  上部突出部
２ｍ  下部突出部
２ｎ  相じゃくり嵌合部
２ｑ  配線トンネル
３    後付け配線ケーブル
４    下地床
５    シート体
６    固着具
【図１】
2010007918.tif 000003
【図２】
2010007918.tif 000004
【図３】
2010007918.tif 000005
【図４】
2010007918.tif 000006
【図５】
2010007918.tif 000007
【図６】
2010007918.tif 000008